(57)【要約】      （修正有）【課題】大便器本体の施工を容易に行うことができる大便器施工用具を提供する。【解決手段】大便器施工用具は、床面Ｆに引き出した排水管に接続した排水接続具１の上流端部１Ａに大便器本体２の便鉢部３の下流側に連通した便器排水路４の下流端部を接続しながら、大便器本体２を床面Ｆ上に固定する際に利用し、大便器本体２の床面Ｆ上への固定位置を表示する。排水管の上流端部に接続して床面Ｆ上に固定した排水接続具１に嵌合する嵌合部を有し、嵌合部を排水接続具１に嵌合しつつ床面Ｆ上の所定位置に配置する第１部材と、第１部材を床面Ｆ上の所定位置に配置した状態で、第１部材に連続しており、床面Ｆから立設した壁面Ｗに沿って立ち上がり大便器本体２の左右方向の固定位置を表示する第１表示部１７を有した第２部材３２とを備えている。【選択図】図６
2014095205.tif 000002
【特許請求の範囲】
【請求項１】
床面に引き出した排水管に接続した排水接続具の上流端部に大便器本体の便鉢部の下流側に連通した便器排水路の下流端部を接続しながら、前記大便器本体を前記床面上に固定する際に利用し、前記大便器本体の前記床面上への固定位置を表示する大便器施工用具であって、
前記排水管の上流端部に接続して前記床面上に固定した前記排水接続具に嵌合する嵌合部を有し、この嵌合部を前記排水接続具に嵌合しつつ前記床面上の所定位置に配置する第１部材と、
この第１部材を前記床面上の前記所定位置に配置した状態で、この第１部材に連続しており、前記床面から立設した壁面に沿って立ち上がり前記大便器本体の左右方向の固定位置を表示する第１表示部を有した第２部材とを備えていることを特徴とする大便器施工用具。
【請求項２】
前記第１部材は前記大便器本体の前後方向の固定位置を表示する第２表示部を有していることを特徴とする請求項１記載の大便器施工用具。
【請求項３】
前記第１部材は、所定箇所を折曲することによって前記壁面に沿って立ち上がる起立部を有しており、この起立部は立ち上がった状態で前記第１表示部を有した前記第２部材を構成することを特徴とする請求項１又は２記載の大便器施工用具。
【請求項４】
前記第１部材は、前記起立部の周囲に枠部を有し、この枠部に前記第２表示部を表示したことを特徴とする請求項３記載の大便器施工用具。
【請求項５】
前記第１部材は前記大便器本体に連結して前記大便器本体を前記床面上に固定する固定部材の前記床面上への固定位置を表示する第３表示部を有していることを特徴とする請求項１乃至４のいずれか１項記載の大便器施工用具。
【請求項６】
請求項５記載の大便器施工用具を利用して大便器本体を床面上に固定する大便器施工方法であって、
床面に引き出した排水管の上流端部に接続して床面上に固定した排水接続具に前記嵌合部を嵌合して前記第１部材を前記床面上の所定位置に配置する第１工程と、
前記第１部材の前記第３表示部に合わせて前記固定部材を前記床面上へ固定する第２工程と、
前記第１部材を前記所定箇所で折曲して前記起立部を壁面に沿って立ち上げる第３工程と、
前記大便器本体を前記起立部に表示した前記第１表示部及び前記枠部に表示した前記第２表示部に合わせて前記排水接続具の上方から下降させ、前記排水接続具の上流端開口に前記便器排水路の下流端部を挿入して接続しながら前記床面上に前記大便器本体を載置して前記固定部材に連結して固定する第４工程とを備えていることを特徴とする大便器施工方法。
【発明の詳細な説明】
【技術分野】
【０００１】
本発明は大便器施工用具及びそれを利用した大便器施工方法に関する。
【背景技術】
【０００２】
特許文献１は従来の大便器施工用具を開示している。この大便器施工用具は排水接続具から所定の距離だけ離れた床面上に固定部材を固定することができる。この大便器施工用具を利用して大便器本体を床面上に固定する施工手順を以下に示す。先ず、床面に引き出した排水管の上流端部に排水接続具を接続し、排水接続具を床面上に固定する。次に、大便器施工用具を利用して固定具を排水接続具から所定の距離だけ離れた床面上に固定する。そして、施工者は、大便器本体の後部に設けた上下方向に貫通した収納部を通じて大便器本体の上方から排水接続具を視認しながら、大便器本体を床面上に下降させる。この際、施工者は排水接続具を視認することができるため、排水接続具の上流端開口に便器排水路の下流端部を確実に挿入し、接続することができる。排水接続具の上流端開口に便器排水路の下流端部を挿入して大便器本体を床面上に載置すると、大便器施工用具によって固定部材が排水接続具から所定の距離だけ離れた床面上に固定されているため、固定部材と大便器本体の前端下部とが適切な位置関係になっている。このため、大便器本体の前端下部に設けた貫通孔に固定ねじを挿通して固定部材にねじ込むことができる。このように、大便器施工用具を利用して大便器本体を床面上に固定することができるため、大便器本体の施工性が良く、施工時間の短縮が図れ、施工者の熟練も不要になる。
【先行技術文献】
【特許文献】
【０００３】
【特許文献１】特開平１１−１１７３７０号公報
【発明の概要】
【発明が解決しようとする課題】
【０００４】
しかし、特許文献１の大便器施工用具は固定部材の位置決めを容易に行うに過ぎないものである。固定部材の位置決めを良好に行えたとしても、大便器本体の後部に設けた上下方向に貫通した収納部内に便器洗浄装置等の機器類が収納されることによって、大便器本体の上方から排水接続具を視認することができない大便器である場合、排水接続具の上流端開口に大便器本体の便器排水路の下流端を挿入し難く、大便器本体を床面上に良好に下降させることができない。このような場合、大便器本体の施工性が悪くなり、施工時間の短縮を図ることができない。
【０００５】
本発明は、上記従来の実情に鑑みてなされたものであって、大便器本体の施工を容易に行うことができる大便器施工用具及びそれを利用した大便器施工方法を提供することを解決すべき課題としている。
【課題を解決するための手段】
【０００６】
本発明の大便器施工用具は、床面に引き出した排水管に接続した排水接続具の上流端部に大便器本体の便鉢部の下流側に連通した便器排水路の下流端部を接続しながら、前記大便器本体を前記床面上に固定する際に利用し、前記大便器本体の前記床面上への固定位置を表示する大便器施工用具であって、
前記排水管の上流端部に接続して前記床面上に固定した前記排水接続具に嵌合する嵌合部を有し、この嵌合部を前記排水接続具に嵌合しつつ前記床面上の所定位置に配置する第１部材と、
この第１部材を前記床面上の前記所定位置に配置した状態で、この第１部材に連続しており、前記床面から立設した壁面に沿って立ち上がり前記大便器本体の左右方向の固定位置を表示する第１表示部を有した第２部材とを備えていることを特徴とする。
【０００７】
この大便器施工用具は、壁面に沿って立ち上がった第２部材の第１表示部に大便器本体の所定位置を合わせることによって、大便器本体の左右方向の適正位置に大便器本体を下降させることができる。このため、大便器本体の上方から排水接続具を視認することができなくても、便器排水路の下流端部を排水接続具に良好に接続することができ、大便器本体を床面上の所定位置に良好に固定することができる。
【０００８】
したがって、本発明の大便器施工用具は大便器本体の施工を容易に行うことができる。
【図面の簡単な説明】
【０００９】
【図１】実施例の大便器施工用具を示す表面図である。
【図２】実施例の大便器施工用具を示す裏面図である。
【図３】排水接続具を床面上に固定する状態を示す斜視図である。
【図４】実施例の大便器施工用具を床面上に配置し、固定部材を床面上位固定する状態を示す斜視図である。
【図５】実施例の大便器施工用具の起立部を壁面に沿って立ち上げる状態を示す斜視図である。
【図６】実施例の大便器施工用具を利用して大便器本体を床面上に固定する状態を示す斜視図である。
【図７】実施例の大便器施工用具を利用して大便器本体を床面上に固定する状態を示す平面図である。
【発明を実施するための形態】
【００１０】
本発明における好ましい実施の形態を説明する。
【００１１】
本発明の大便器施工用具において、前記第１部材は前記大便器本体の前後方向の固定位置を表示する第２表示部を有し得る。この場合、第２表示部に大便器本体の所定位置を合わせることによって、大便器本体の前後方向の適正位置に大便器本体を下降させることができる。このため、大便器本体の上方から排水接続具を視認することができなくても、便器排水路の下流端部を排水接続具に良好に接続することができ、大便器本体を床面上の所定位置に良好に固定することができる。
【００１２】
本発明の大便器施工用具において、前記第１部材は、所定箇所を折曲することによって前記壁面に沿って立ち上がる起立部を有しており、この起立部は立ち上がった状態で前記第１表示部を有した前記第２部材を構成し得る。この場合、起立部が第１部材と第２部材とを兼ねることによって、大便器施工用具をコンパクトに形成することができる。
【００１３】
本発明の大便器施工用具において、前記第１部材は、前記起立部の周囲に枠部を有し、この枠部に前記第２表示部を表示し得る。この場合、起立部を立ち上げても第２表示部を表示した枠部は床面上に配置することができるため、大便器本体の前後方向の適正位置に大便器本体を下降させることができる。
【００１４】
本発明の大便器施工用具において、前記第１部材は前記大便器本体に連結して前記大便器本体を前記床面上に固定する固定部材の前記床面上への固定位置を表示する第３表示部を有し得る。この場合、固定部材を適正位置に固定することができるため、大便器本体を床面上に載置した際に大便器本体と固定部材とを確実に連結して大便器本体を固定することができる。
【００１５】
本発明の大便器施工用具を利用して大便器本体を床面上に固定する大便器施工方法であって、
床面に引き出した排水管の上流端部に接続して床面上に固定した排水接続具に前記嵌合部を嵌合して前記第１部材を前記床面上の所定位置に配置する第１工程と、
前記第１部材の前記第３表示部に合わせて前記固定部材を前記床面上へ固定する第２工程と、
前記第１部材を前記所定箇所で折曲して前記起立部を壁面に沿って立ち上げる第３工程と、
前記大便器本体を前記起立部に表示した前記第１表示部及び前記枠部に表示した前記第２表示部に合わせて前記排水接続具の上方から下降させ、前記排水接続具の上流端開口に前記便器排水路の下流端部を挿入して接続しながら前記床面上に前記大便器本体を載置して前記固定部材に連結して固定する第４工程とを備えていることを特徴とする。
【００１６】
この大便器施工方法は、大便器本体の左右方向及び前後方向の適正位置に大便器本体を下降させることができる。このため、大便器本体の上方から排水接続具を視認することができなくても、便器排水路の下流端部を排水接続具に良好に接続することができ、大便器本体を床面上の所定位置に良好に固定することができる。
【００１７】
したがって、本発明の大便器施工方法は大便器本体の施工を容易に行うことができる。
【００１８】
次に、本発明の大便器施工用具を具体化した実施例について、図面を参照しつつ説明する。
【００１９】
＜実施例＞
実施例の大便器施工用具は、図１及び図２に示すように、長方形状の１枚の厚紙で形成されている。この大便器施工用具は、一方側の短辺の近傍に短辺に平行に延びる直線状の折曲部１１と、折曲部１１の両端に曲線で連続して両長辺に平行に延びて切り込まれている２本の直線状の第１切込み部１２と、両第１切込み部１２の先端部を連結し、他方の短辺の近傍に短辺に平行に延びて切り込まれている直線状の第２切込み部１３とを有している。この折曲部１１、２本の第１切込み部１２、及び第２切込み部１３で囲まれた長方形状の部分が起立部１０を構成している。また、この起立部１０の周囲が枠部２０を構成している。
【００２０】
大便器施工用具は、図１に示すように、床面Ｆ上に配置した際の上面となる表面と、図２に示すように、下面となる裏面とを有している。
【００２１】
大便器施工用具は、図１及び図４に示すように、起立部１０と枠部２０とを同一面にした状態で、これらの表面側が第１部材３１を構成している。この状態で第１部材３１を構成する起立部１０は、折曲部１１に近い側であって、短辺方向の中央部に嵌合部１４を有している。この嵌合部１４は排水接続具１（図３参照）の下端部の外形よりわずかに大きい略相似形に開口している。
【００２２】
また、第１部材３１を構成する起立部１０は、大便器施工用具の短辺方向の中央線の線対称となる位置であって、嵌合部１４を挟む位置に２個の第１固定部材４１（図４参照）の床面Ｆ上への固定位置を表示する２個の第３表示部１５を有している。また、第１部材３１を構成する起立部１０は、第２切込み部１３の近傍であって、大便器施工用具の短辺方向の中央位置に第２固定部材４２（図４参照）の床面Ｆ上への固定位置を表示する第３表示部１６を有している。第１固定部材４１の床面Ｆ上への固定位置を表示する第３表示部１５は第１固定部材４１の下端部の外形よりわずかに大きい略相似形に開口している。また、第２固定部材４２の床面Ｆ上への固定位置を表示する第３表示部１６は第２固定部材４２の下端部の外形よりわずかに大きい略相似形に開口している。
【００２３】
第１部材３１を構成し、大便器施工用具の長手方向に延びる枠部２０は、大便器本体２（図６、図７参照）の前後方向の固定位置を表示する第２表示部２１を有している。第２表示部２１は第１固定部材４１の床面Ｆ上への固定位置を表示する第３表示部１５から外側へ延長した直線上に帯状に記載されている。また、大便器施工用具の長手方向に延びる枠部２０は、床面Ｆ上に大便器施工用具を仮止めする際に粘着テープＴを貼付する位置を示す帯状の表示部２２を両端部に記載している。
【００２４】
起立部１０は、図２、図５〜図７に示すように、裏面に折曲部１１で折曲して床面Ｆから立設した壁面Ｗに沿って立ち上げた際に大便器本体２の左右方向の固定位置を表示する第１表示部１７を表示している。つまり、起立部１０は、壁面Ｗに沿って立ち上がった状態で第１表示部１７を有した第２部材３２を構成している。このように、この大便器施工用具は起立部１０が第１部材３１と第２部材３２とを兼ねている。このため大便器施工用具をコンパクトに形成することができる。
【００２５】
第１表示部１７は、大便器施工用具の短辺方向の中央線の線対称であり所定間隔を有し、第２切込み部１３から延びる２本の直線１７Ａと、それら直線の内側に記載した斜線１７Ｂによって表示されている。この２本の直線１７Ａは、図７に示すように、大便器本体２に固定した支持部材５の後端部における幅と略等しい間隔を有している。支持部材５は大便器本体２の後部に設けた上下方向に貫通した収納部に収納する便器洗浄装置６等を固定している。また、起立部１０は、図２に示すように、裏面であって、第２切込み部１３の両端部に、起立部１０を壁面Ｗに沿って立ち上げた際、壁面Ｗに起立部１０を仮止めする際に粘着テープＴを貼付する位置を示す帯状の表示部１８を記載している。
【００２６】
次に、この大便器施工用具を利用して大便器本体２を床面Ｆ上に固定する施工手順を説明する。
【００２７】
先ず、図３に示すように、床面Ｆに引き出した排水管９の上流端部９Ａに排水接続具１を接続し、木螺子をねじ込んで、床面Ｆ上に固定する。そして、図４に示すように、大便器施工用具を表面側が上面となるように排水接続具１の上方から下降する。この際、大便器施工用具の嵌合部１４に排水接続具１を挿通しつつ、大便器施工用具を床面Ｆ上に配置する。この状態で、大便器施工用具の嵌合部１４が排水接続具１に嵌合した状態となり、大便器施工用具は床面Ｆ状の所定位置に配置される。そして、大便器施工用具の枠部２０の４か所に表示した粘着テープＴを貼付する表示部２２に合わせて粘着テープＴを枠部２０とともに床面Ｆ上に貼付し、大便器施工用具を床面Ｆ上に仮止めする。このようにして、第１工程を実行する。
【００２８】
次に、２個の第１固定部材４１、及び１個の第２固定部材４２を夫々の第３表示部１５、１６に合わせて床面Ｆ上に配置し、木螺子をねじ込んで、第１固定部材４１及び第２固定部材４２を床面Ｆ上に固定する第２工程を実施する。第２固定部材４２は、図５に示すように、上面に粘着部材４２Ａを貼着する。この粘着部材４２Ａは、大便器本体２を床面Ｆ上に配置すると同時に大便器本体２の前端下部に組み付けた固定用プレート２Ａ（図６参照）の下面に接着することによって、第２固定部材４２と大便器本体２とが連結し、大便器本体２を床面Ｆ上に固定することができる。
【００２９】
次に、折曲部１１を折り曲げて起立部１０を壁面Ｗに沿って立ち上げる第３工程を実施する。そして、起立部１０に表示した粘着テープＴを貼付する表示部１８に合わせて粘着テープＴを起立部１０とともに壁面Ｗに貼付し、起立部１０を壁面Ｗに仮止めする。
【００３０】
次に、図６及び図７に示すように、起立部１０に表示した第１表示部１７である２本の直線１７Ａの内側に大便器本体２に固定した支持部材５の後端部が位置するように、かつ枠部２０に表示した第２表示部２１内に大便器本体２の左右側面下部に設けた貫通孔７が位置するように大便器本体２を保持しつつ、大便器本体２を排水接続具１の上方から床面上に下降させる。大便器本体２の左右側面下部に設けた貫通孔７は第１固定部材４１にねじ込む固定ねじＢが挿通するものである。これによって、大便器本体２の左右方向及び前後方向の適正位置に大便器本体２を下降させることができる。このため、大便器本体２の上方から排水接続具１を視認することができなくても、大便器本体２の便鉢部３の下流側に連通した便器排水路４の下流端部を排水接続具１の上流端開口１Ａに挿入して良好に接続することができ、大便器本体２を床面Ｆ上の所定位置に良好に固定することができる。
【００３１】
そして、大便器本体２の左右側面下部に設けた貫通孔７に固定ねじＢを挿通して、第１固定部材４１にねじ込むことによって、第１固定部材４１と大便器本体２とを連結し、大便器本体２を床面Ｆ上に固定する第４工程を実行する。
【００３２】
次に、枠部２０を床面Ｆに仮止めしている粘着テープＴ及び起立部１０を壁面Ｗに仮止めしている粘着テープＴを剥がして、大便器施工用具を除去する。これによって、大便器本体２を床面Ｆ上に固定する施工を終了する。
【００３３】
本発明は上記記述及び図面によって説明した実施例に限定されるものではなく、例えば次のような実施例も本発明の技術的範囲に含まれる。
（１）実施例では、第２表示部を第１部材の枠部に表示したが、第２表示部を第１部在に表示しなくてもよい。この場合、他の手段で大便器本体の前後方向の固定位置を表示することになる。
（２）実施例では、第１部材の所定箇所を折り曲げて壁面に沿って立ち上がる起立部に第１表示部を表示したが、起立部を設けなくてもよい。この場合、嵌合部を有する第１部材と別に第２部材を設けて第１表示部を有するようにしてもよい。
（３）実施例では、第１部材が起立部の周囲の枠部を有したが、枠部を有さなくてもよい。この場合、他の表示手段で大便器本体の前後方向の固定位置を表示することになる。
（４）実施例では、第１部材に第３表示部を有したが、第３表示部を有さなくてもよい。
（５）実施例では、大便器施工用具を厚紙で形成したが、他の素材で大便器施工用具を形成してもよい。
【符号の説明】
【００３４】
１…排水接続具
２…大便器本体
３…便鉢部
４…便器排水路
９…排水管
９Ａ…（排水管の）上流端部
１０…起立部
１４…嵌合部
１５、１６…第３表示部
１７…第１表示部
２０…枠部
２１…第２表示部
３１…第１部材
３２…第２部材
４１、４２…固定部材（４１…第１固定部材、４２…第２固定部材）
Ｆ…床面
Ｗ…壁面
【図１】
2014095205.tif 000003
【図２】
2014095205.tif 000004
【図３】
2014095205.tif 000005
【図４】
2014095205.tif 000006
【図５】
2014095205.tif 000007
【図６】
2014095205.tif 000008
【図７】
2014095205.tif 000009